【手続補正書】
【提出日】平成30年9月20日(2018.9.20)
【手続補正１】
【補正対象書類名】特許請求の範囲
【補正対象項目名】全文
【補正方法】変更
【補正の内容】
【特許請求の範囲】
【請求項１】
内部空間を有するチューブと、
第一の光ファイバ及び前記第一の光ファイバを包む第一のチューブを備えた第一の導光体であって、前記第一のチューブが、長手方向スロットを有する第一のジャケットと、前記第一のジャケットの長手方向スロット内に配置され且つ前記第一の光ファイバに光学的に結合された第一のレンズとを備え、前記第一の光ファイバが、前記第一のジャケットの長手方向スロットによって区切られた領域内において不均一な表面を有するクラッドを備える、第一の導光体と、
前記第一の光ファイバから離隔された第二の光ファイバを備えた第二の導光体であって、前記第二の光ファイバが、前記第一のジャケットの長手方向スロットに向き合う領域において不均一な表面を有するクラッドを備える、第二の導光体とを備えた光学インピーダンスセンサ。
【請求項２】
前記第二の導光体が、前記第二の光ファイバを包む第二のチューブを更に備え、前記第二のチューブが、長手方向スロットを有する第二のジャケットと、前記第二のジャケットの長手方向スロット内に配置され且つ前記第二の光ファイバに光学的に結合された第二のレンズとを備え、前記第一のジャケットの長手方向スロット及び前記第二のジャケットの長手方向スロットが、前記第一のジャケットの長手方向スロットから放出された光の少なくとも一部が前記第二のジャケットの長手方向スロットに直接入射するように相互に対向して配置される、請求項１に記載の光学インピーダンスセンサ。
【請求項３】
第三の光ファイバ及び前記第三の光ファイバを包む第二のチューブを備えた第三の導光体を更に備え、前記第二のチューブが、長手方向スロットを有する第二のジャケットと、前記第二のジャケットの長手方向スロット内に配置され且つ前記第三の光ファイバに光学的に結合された第二のレンズとを備え、前記第三の光ファイバが、前記第二のジャケットの長手方向スロットによって区切られた領域内において不均一な表面を有するクラッドを備える、請求項１に記載の光学インピーダンスセンサ。
【請求項４】
前記第一の光ファイバと前記第一のジャケットとの間に配置された湾曲反射表面を更に備える請求項１に記載の光学インピーダンスセンサ。
【請求項５】
前記第一のジャケットが、光学的に透明又は半透明ではない材料製である、請求項１に記載の光学インピーダンスセンサ。
【請求項６】
容器内の液体レベルを測定するためのシステムであって、
内部空間を有し、前記容器内に配置されるチューブと、
光を出力するための光源と、
入射光を、前記入射光の光パワーを表す電気信号に変換するための光検出器と、
第一の光ファイバ及び前記第一の光ファイバを包む第一のチューブを備えた第一の導光体であって、前記第一のチューブが、長手方向スロットを有する第一のジャケットと、前記第一のジャケットの長手方向スロット内に配置され且つ前記第一の光ファイバに光学的に結合された第一のレンズとを備え、前記第一の光ファイバがクラッド及び該クラッドの内側のコアを備え、前記第一の光ファイバのクラッドが、前記第一のジャケットの長手方向スロットによって区切られた領域内において不均一な表面を有し、前記第一の光ファイバのコアが前記光源からの光を受信するように光学的に結合されている、第一の導光体と、
前記第一の光ファイバから離隔された第二の光ファイバを備えた第二の導光体であって、前記第二の光ファイバがクラッド及び該クラッドの内側のコアを備え、前記第二の光ファイバのクラッドが、前記第一のジャケットの長手方向スロットを通して前記第一の光ファイバによって放出された光を受信する不均一な表面を有し、前記第二の光ファイバのコアが前記光検出器に光を出力するように光学的に結合されている、第二の導光体とを備えたシステム。
【請求項７】
前記光検出器から受信した光パワーデータに基づいて、前記容器内の液体レベルを計算するようにプログラムされたコンピュータシステムを更に備える請求項６に記載のシステム。
【請求項８】
前記光源がレーザーを備え、前記光検出器がフォトダイオードを備える、請求項６に記載のシステム。
【請求項９】
前記容器が航空機の燃料タンクである、請求項６に記載のシステム。
【請求項１０】
前記第二の導光体が、前記第二の光ファイバを包む第二のチューブを更に備え、前記第二のチューブが、長手方向スロットを有する第二のジャケットと、前記第二のジャケットの長手方向スロット内に配置され且つ前記第二の光ファイバに光学的に結合された第二のレンズとを備え、前記第一のジャケットの長手方向スロット及び前記第二のジャケットの長手方向スロットが、前記第一のジャケットの長手方向スロットから放出された光の少なくとも一部が前記第二のジャケットの長手方向スロットに直接入射するように相互に対向して配置される、請求項６に記載のシステム。
【請求項１１】
第三の光ファイバ及び前記第三の光ファイバを包む第二のチューブを備えた第三の導光体を更に備え、前記第二のチューブが、長手方向スロットを有する第二のジャケットと、前記第二のジャケットの長手方向スロット内に配置され且つ前記第三の光ファイバに光学的に結合された第二のレンズとを備え、前記第三の光ファイバが、前記第二のジャケットの長手方向スロットによって区切られた領域内において不均一な表面を有するクラッドを備える、請求項６に記載のシステム。
【請求項１２】
前記第一のレンズ及び前記第二のレンズが異なる高さに配置されている、請求項１１に記載のシステム。
【請求項１３】
前記第一の光ファイバと前記第一のジャケットとの間に配置された湾曲反射表面を更に備えた請求項６に記載のシステム。
【請求項１４】
軸及び周面を有する光ファイバと、
前記光ファイバの軸に平行に延伸する長手方向スロットを有するジャケットであって、前記長手方向スロットの領域を除いて前記光ファイバの周面に接触しているジャケットと、
前記ジャケットの長手方向スロット内に配置され、前記光ファイバの周面に接合されたレンズとを備え、
前記光ファイバが、前記ジャケットの長手方向スロットによって区切られた領域内において不均一な表面を有するクラッドを備える、導光体。
【請求項１５】
前記光ファイバと前記ジャケットとの間に配置された湾曲反射表面を更に備えた請求項１４に記載の導光体。
【請求項１６】
前記ジャケットが光学的に透明又は半透明ではない材料製である、請求項１４に記載の導光体。
【請求項１７】
複数のコンパートメントを有する燃料タンク内の燃料レベルを測定するための方法であって、
第一のコンパートメント内に第一のチューブを配置するステップと、
前記第一のコンパートメントが少なくとも部分的に燃料で充填された際の燃料の表面に略垂直な向きで、前記第一のチューブ内に第一の導光体を配置するステップであって、前記第一の導光体が、前記第一の導光体が燃料内に浸漬された際に第一の光ファイバが濡れることを防止するように包まれた第一の光ファイバを備える、ステップと、
前記第一のチューブ内に、前記第一の導光体に略平行に離隔して第二の導光体を配置するステップであって、前記第二の導光体が、前記第二の導光体が燃料内に浸漬された際に第二の光ファイバが濡れることを防止するように包まれた第二の光ファイバを備える、ステップと、
前記第一の導光体の長さ方向に沿って前記第二の導光体の長さ方向に向けて光を放出するステップと、
前記第二の導光体から出力された光パワーを検出するステップと、
前記第二の導光体から出力され検出された光パワーに基づいて、前記第一のコンパートメント内の燃料レベルを決定するステップとを備えた方法。
【請求項１８】
前記燃料レベルを決定するステップが、検出された光パワーを、光パワーに対して較正された燃料レベルのデータベースと比較することを備える、請求項１７に記載の方法。
【請求項１９】
前記第一のコンパートメントの高さよりも低い高さを有する第二のコンパートメント内に第二のチューブを配置するステップと、
前記第二のコンパートメントが少なくとも部分的に燃料で充填された際の燃料の表面に略垂直な向きで、前記第二のチューブ内に第三の導光体を配置するステップであって、前記第三の導光体が、前記第三の導光体が燃料内に浸漬された際に第三の光ファイバが濡れることを防止するように包まれた第三の光ファイバを備える、ステップと、
前記第二のチューブ内に、前記第三の導光体を取り囲むように離隔して第四の導光体を配置するステップであって、前記第四の導光体が、螺旋形状を有し、前記第四の導光体が燃料内に浸漬された際に第四の光ファイバが濡れることを防止するように包まれた第四の光ファイバを備える、ステップと、
前記第三の導光体の長さ方向に沿って、前記第四の導光体の長さ方向に向けて光を放出するステップと、
前記第四の導光体から出力された光パワーを検出するステップと、
前記第四の導光体から出力され検出された光パワーに基づいて、前記第二のコンパートメント内の燃料レベルを決定するステップとを更に備えた請求項１７に記載の方法。
【請求項２０】
前記燃料タンクが航空機の翼に組み込まれている、請求項１７に記載の方法。